(57)【要約】      （修正有）【課題】災害時に、道路が障害物により通行が妨げられていたり、道路自体が崩壊して通行が不可能であったりしても、救済のために重機を被災地に運ぶこと、災害発生後救済に必要な最小限の道具を装備し、身軽に道路を通行し、被害者を一人でも多く救出することができる。【解決手段】荷台にレスキュー用品を積載するための積載装置を設けたレスキュー用品装備用自動二輪車及び自動三輪車並びに荷台に設けた積載装置に油圧ジャッキ、ノコギリ、ロープ、大ハンマー、エンジンチェンソー、バール、消火器、まさかり、メガホンなどのレスキュー用品及び手袋、懐中電灯、医療品、水、コメ、飯盒、燃料などの生存用品を積載したレスキュー用品装備自動二輪車及び自動三輪車である。【選択図】図４
0003107083.tif 000002
【実用新案登録請求の範囲】
【請求項１】
自動二輪車の荷台にレスキュー用品を積載するための積載装置を設けたことを特徴とするレスキュー用品装備用自動二輪車。
【請求項２】
自動二輪車の荷台にレスキュー用品を積載するための積載装置を設けたことを特徴とする総排気量が２５０ｃｃであるレスキュー用品装備用自動二輪車。
【請求項３】
自動三輪車の荷台にレスキュー用品を積載するための積載装置を設けたことを特徴とするレスキュー用品装備用自動三輪車。
【請求項４】
自動二輪車の荷台にレスキュー用品を積載するための積載装置を設け、少なくとも油圧ジャッキ、横作業用ネジ式ジャッキ、小隙間用ジャッキ、ノコギリ、ロープ、大ハンマー、エンジンチェンソー、バール、消火器、まさかり、メガホンなどのレスキュー用品を積載したことを特徴とするレスキュー用品装備自動二輪車。
【請求項５】
自動三輪車の荷台にレスキュー用品を積載するための積載装置を設け、少なくとも油圧ジャッキ、横作業用ネジ式ジャッキ、小隙間用ジャッキ、ノコギリ、ロープ、大ハンマー、エンジンチェンソー、バール、消火器、まさかり、メガホンなどのレスキュー用品を積載したことを特徴とするレスキュー用品装備自動三輪車。
【請求項６】
自動二輪車の荷台にレスキュー用品を積載するための積載装置を設け、少なくとも油圧ジャッキ、横作業用ネジ式ジャッキ、小隙間用ジャッキ、ノコギリ、ロープ、大ハンマー、エンジンチェンソー、バール、消火器、まさかり、メガホンなどのレスキュー用品並びに少なくとも手袋、懐中電灯、医療品、水、コメ、飯盒、燃料などの生存用品を積載したことを特徴とするレスキュー用品装備自動二輪車。
【請求項７】
自動三輪車の荷台にレスキュー用品を積載するための積載装置を設け、少なくとも油圧ジャッキ、横作業用ネジ式ジャッキ、小隙間用ジャッキ、ノコギリ、ロープ、大ハンマー、エンジンチェンソー、バール、消火器、まさかり、メガホンなどのレスキュー用品並びに少なくとも手袋、懐中電灯、医療品、水、コメ、飯盒、燃料などの生存用品を積載したことを特徴とするレスキュー用品装備自動三輪車。
【考案の詳細な説明】
【技術分野】
【０００１】
本考案は、災害、特に震災を被った際に敷居又は梁などの下敷きになった被害者を一刻もはやく救出するための機材を装備することができるレスキュー用品装備用自動二輪車もしくは自動三輪車並びにレスキュー用品を積載したレスキュー用品装備自動二輪車もしくは自動三輪車に関する。
【背景技術】
【０００２】
日本においては各種の災害、例えば土砂崩れ、地震などに見舞われ、被害者が敷居、梁などの下敷きになり、自力で脱出できなくなることがある。特に震災においては、火災が発生する場合が多く、一刻もはやく救出しなければ被害者は焼死を免れないという事態に遭遇することが少なくない。従って、現在では警察官、消防団員、自衛隊員などによりブルドーザー、クレーン車、シャベルカーなどの重機を用いて、これらの救出に当たっているのが実情である。
【考案の開示】
【考案が解決しようとする課題】
【０００３】
上述のような災害時においては、通常道路は障害物により通行が妨げられていたり、場合によっては道路自体が崩壊して通行が不可能であったりするので、救済のために重機を被災地に運ぶことは困難であり、災害発生後救済に必要な最小限の道具を装備し、如何に身軽に道路を通行し、しかも最少人数により、被害者を一人でも多く救出することが、我々にとって大きな課題であった。
【課題を解決するための手段】
【０００４】
本考案者らは、これらの課題を解決するために種々の検討を行った結果、敷居又は梁などの下敷きになった被害者を一刻もはやく救出するための機材を装備した自動二輪車もしくは自動三輪車を提供するに至った。
【０００５】
すなわち、自動二輪車の荷台にレスキュー用品を積載するための積載装置を設けたことを特徴とするレスキュー用品装備用自動二輪車であって、自動二輪車の総排気量が２５０ｃｃであることが好ましい。
【０００６】
本考案の第二は、自動三輪車の荷台にレスキュー用品を積載するための積載装置を設けたことを特徴とするレスキュー用品装備用自動三輪車である。
【０００７】
本考案の第三は、自動二輪車の荷台にレスキュー用品を積載するための積載装置を設け、少なくとも油圧ジャッキ、横作業用ネジ式ジャッキ、小隙間用ジャッキ、ノコギリ、ロープ、大ハンマー、エンジンチェンソー、バール、消火器、まさかり、メガホンなどのレスキュー用品を積載した積載装置を設けたことを特徴とするレスキュー用品装備自動二輪車である。
【０００８】
本考案の第四は、自動三輪車の荷台にレスキュー用品を積載するための積載装置を設け、少なくとも油圧ジャッキ、横作業用ネジ式ジャッキ、小隙間用ジャッキ、ノコギリ、ロープ、大ハンマー、エンジンチェンソー、バール、消火器、まさかり、メガホンなどのレスキュー用品を積載したことを特徴とするレスキュー用品装備自動三輪車である。
【０００９】
本考案の第五は、自動二輪車の荷台にレスキュー用品を積載するための積載装置を設け、少なくとも油圧ジャッキ、横作業用ネジ式ジャッキ、小隙間用ジャッキ、ノコギリ、ロープ、大ハンマー、エンジンチェンソー、バール、消火器、まさかり、メガホンなどのレスキュー用品並びに少なくとも手袋、懐中電灯、医療品、水、コメ、飯盒、燃料などの生存用品を積載したことを特徴とするレスキュー用品装備自動二輪車である。
【００１０】
本考案の第六は、自動三輪車の荷台にレスキュー用品を積載するための積載装置を設け、少なくとも油圧ジャッキ、横作業用ネジ式ジャッキ、小隙間用ジャッキ、ノコギリ、ロープ、大ハンマー、エンジンチェンソー、バール、消火器、まさかり、メガホンなどのレスキュー用品並びに少なくとも手袋、懐中電灯、医療品、水、コメ、飯盒、燃料などの生存用品を積載したことを特徴とするレスキュー用品装備自動三輪車である。
【考案の効果】
【００１１】
本考案のレスキュー用品装備用自動二輪車もしくは自動三輪車は、災害時において道路が障害物により通行が妨げられていたり、場合によっては道路自体が崩壊して通行が不可能であったりするにも拘わらず、災害発生後被害者の救済に必要な最小限の道具を装備した上で、身軽に道路を通行し、被災地に速やかに到達することができるので被災者の救出に有用である。
【００１２】
本考案のレスキュー用品装備自動二輪車もしくは自動三輪車は、常時、油圧ジャッキ、横作業用ネジ式ジャッキ、小隙間用ジャッキ、ノコギリ、ロープ、大ハンマー、エンジンチェンソー、バール、消火器、まさかり、メガホンなどのレスキュー用品を積載しているので、災害時において道路が障害物により通行が妨げられていたり、場合によっては道路自体が崩壊して通行が不可能であったりするにも拘わらず、災害発生後直ちに被害者の救済に必要な最小限のレスキュー用品を携帯し、身軽に道路を通行することができるので非常に有用である。また、災害発生時には、手袋、懐中電灯、医療品、水、コメ、飯盒、燃料などの災害時に必要とする生存用品を積載して出動することができるので、出動が長期にわたる場合でも支障なく被害者の救出に当たることができ、非常に有用である。
【考案を実施するための最良の形態】
【００１３】
本考案にいうレスキュー用品及び生存用品を積載するための積載装置３とは、その１例を図２に示し、該積載装置３を自動二輪車１に積載した状況を図１に示した。自動二輪車の総排気量は特に限定されるものではなく、総排気量５０ｃｃの原動機付自転車といわれるものでも使用可能であり、普通自動二輪車といわれる総排気量４００ｃｃ以下のものから大型自動二輪車といわれる総排気量１８００ｃｃのものまで利用することができ、被災地の状況及び装備するレスキュー用品の重量などにより適宜選ぶことができる。通常は総排気量が２５０ｃｃ程度のものが、積載量及び機動性の上から好ましい。また、本考案の積載装置３は自動二輪車１の荷台２の上に設置するが、交通法規を順守したものでなければならず、地上から積載装置３の上部までの高さＨは２．０ｍ以下でなければならず、積載装置３の後部は自動二輪車１の荷台２の後部よりの突出部Ｌが０．３ｍ以下でなければならず、積載装置３の幅Ｗは自動二輪車１の荷台２の両側部からの突出部がそれぞれ０．１５ｍ以下でなければならない。また、レスキュー用品及び生存用品を含めた積載装置３の重量は原動機付自転車では３０ｋｇ以下、その他の自動二輪車では６０ｋｇ以下でなければならない。
【００１４】
本考案にいう自動三輪車とは、通常原動機付自転車いわれる総排気量５０ｃｃのものからさらに総排気量の多い自動三輪車を含むが、交通法規を順守したものでなければならない。
【００１５】
本考案にいうレスキュー用品とは、災害時に敷居又は梁などの下敷きになった被害者を一刻もはやく救出するための機材をいい、油圧ジャッキ６、横作業用ネジ式ジャッキ７、ネジ式隙間用ジャッキ８、小隙間用ジャッキ１３、ノコギリ１２、ロープ１４、大ハンマー、エンジンチェンソー１１、バール９、消火器５、まさかり１０、メガホンなどの機材であって、被害者の救出に直接有用なものである。
【００１６】
本考案にいう生存用品とは、災害において被害者を救出するに際して、救出に当たるボランティアの生命を保持するために必要な防護具、食料品、外傷に対する包帯、薬品などのことをいい、手袋、懐中電灯、医療品、水、コメ、飯盒、燃料などがこれに該当する。
【実施例】
【００１７】
本考案の詳細を実施例に基づいて説明するが、本考案の主旨はこれに限定されるものではない。
【００１８】
以下に本考案を実施するための態様を図面に基づいて説明する。本考案に係るレスキュー用品装備用自動二輪車１を図１に示した。図１に示したように本考案のレスキュー用品積載装置３は自動二輪車１の車体フレームＦに取り付けた取付ステーにレスキュー用品積載装置３のサイド保持部３Ｂ，３Ｃを固定し、自動二輪車１の荷台２の上部に設けて使用する。図２にレスキュー用品積載装置の上部保持部３Ａ及びサイド保持部３Ｂ，３Ｃからなる本考案のレスキュー用品積載装置３を示したが、フック１５の位置は積載するレスキュー用品により配設する。また、図３にレスキュー用品積載装置３とレスキュー用品を例示したが、これに限定されるものではなく、状況により随時追加することができる。図４には、本考案のレスキュー用品を装備したレスキュー用品装備自動二輪車４の例を示した。また、本考案のレスキュー用品積載装置３の上部保持部３Ａには、外傷に対する包帯、薬品、手袋、懐中電灯、水、コメ、飯盒、燃料など生存用品も積載することができる。
【００１９】
図５は、レスキュー用品積載装置３の平面図、側面図、正面図及び底面図を示したものであり、図６には本考案のレスキュー用品積載装置３の断面図及び斜視図を示したものである。
【産業上の利用可能性】
【００２０】
本考案のレスキュー用品装備用自動二輪車の積載装置は、フックの位置などの僅かな改良によりレスキュー用品のみならず他の機材を効率よく積載することができるので、その目的に応じた機材を積載した自動二輪車を作製することができる。
【図面の簡単な説明】
【００２１】
【図１】本考案のレスキュー用品装備用自動二輪車の一例
【図２】本考案のレスキュー用品積載装置の一例
【図３】本考案のレスキュー用品積載装置及びレスキュー用品の例
【図４】本考案のレスキュー用品装備自動二輪車の一例
【図５】（ａ）本考案のレスキュー用品積載装置の平面図       （ｂ）本考案のレスキュー用品積載装置の左側面図       （ｃ）本考案のレスキュー用品積載装置の正面図       （ｄ）本考案のレスキュー用品積載装置の右側面図       （ｅ）本考案のレスキュー用品積載装置の底面図
【図６】（ａ）本考案のレスキュー用品積載装置のＡ断面図       （ｂ）本考案のレスキュー用品積載装置のＢ断面図       （ｃ）本考案のレスキュー用品積載装置の斜視図
【符号の説明】
【００２２】
１．レスキュー用品装備用自動二輪車
２．自動二輪車の荷台
Ｆ．自動二輪車の車体フレーム
Ｓ．自動二輪車の取付ステー
３．レスキュー用品積載装置
３Ａ．レスキュー用品積載装置の上部保持部
３Ｂ．レスキュー用品積載装置のサイド保持部
３Ｃ．レスキュー用品積載装置のサイド保持部
３ａ．レスキュー用品積載装置のクッション材
４．レスキュー用品装備自動二輪車
５．消火器
６．油圧式ジャッキ
７．ネジ式ジャッキ
８．ネジ式ジャッキ
９．バール
１０．まさかり
１１．チェーンソー
１２．ノコギリ
１３．小隙間用ジャッキ
１４．ロープ
１５．フック
１６．取付バンド
Ｈ．地上からレスキュー用品積載装置の上面までの高さ
Ｌ．荷台の後端からレスキュー用品積載装置の後部までの長さ
Ｗ．レスキュー用品積載装置の幅
【図１】
0003107083.tif 000003
【図２】
0003107083.tif 000004
【図３】
0003107083.tif 000005
【図４】
0003107083.tif 000006
【図５】
0003107083.tif 000007
【図６】
0003107083.tif 000008